(57)【要約】【課題】  ＡＤＳＬサービスシステム及びＡＤＳＬサービス速度切替方法に関し、加入者のサービス速度切替要求に対して迅速に対応可能とする。【解決手段】  加入者１側のＡＤＳＬモデム２と交換局４側のＭＤＦ端子盤５との間を電話回線３により接続し、ＭＤＦ端子盤５と、サービス速度対応の複数のラインカード７を含む構成の端局装置６との間を、クロスコネクト装置８を介して接続し、加入者１からのサービス速度切替要求を、サービス速度切替システム１１により受付け、クロスコネクト装置８と端局装置６とを制御する監視制御システム１０に対して、サービス速度切替システム１１から指示して、クロスコネクト装置８によりＭＤＦ端子盤５の端子と端局装置６のラインカードとの間の切替接続を行う。【選択図】      図１
2006237801.tif 000002
【特許請求の範囲】
【請求項１】
加入者側のＡＤＳＬモデムと交換局側のＭＤＦ端子盤との間を電話回線により接続し、前記ＭＤＦ端子盤に、サービス速度対応の複数のラインカードを含む構成の端局装置を接続したＡＤＬＳサービスシステムに於いて、
前記ＭＤＦ端子盤と前記端局装置との間に、前記ＭＤＦ端子盤の端子と前記端局装置のラインカードとの間の切替接続を可能とした構成のクロスコネクト装置と、
該クロスコネクト装置の切替制御及び前記端局装置のラインカードの設定制御を行う監視制御システムと、
前記加入者からのサービス速度切替要求を受付けて、前記監視制御システムに、前記クロスコネクト装置によるサービス速度切替えを指示するサービス速度切替システムと、
該サービス速度切替システムからの前記加入者のサービス速度の情報と、前記サービス速度対応の基本料金とを基に加入者対応の料金を管理する課金管理システムと
を備えたことを特徴とするＡＤＳＬサービスシステム。
【請求項２】
前記サービス速度切替システムは、前記加入者とインターネットからのログインによりサービス速度切替案内画面を送出する手段と、該サービス速度切替案内画面に従った前記加入者からのサービス速度切替要求により、前記監視制御システムにサービス速度切替えを指示する手段とを含む構成を有することを特徴とする請求項１記載のＡＤＳＬサービスシステム。
【請求項３】
前記サービス速度切替システムは、前記加入者からの電話網を介したアクセスに対してサービス速度切替案内を行う自動音声応答手段と、該自動音声応答手段により受付けたサービス速度切替要求に従って、前記監視制御システムにサービス速度切替えを指示する手段とを含む構成を有することを特徴とする請求項１記載のＡＤＳＬサービスシステム。
【請求項４】
前記サービス速度切替システムは、前記監視制御システムを介して前記端局装置に於ける加入者対応の実測速度情報を収集し、所定期間の平均速度を含む統計データを求めて統計データベースに格納する手段と、前記加入者からの要求により、前記統計データベースから最大速度と最小速度と平均速度とを含むサービス速度情報を読出して送出する手段とを含む構成を有することを特徴とする請求項１記載のＡＤＳＬサービスシステム。
【請求項５】
加入者側のＡＤＳＬモデムと交換局側のＭＤＦ端子盤との間を電話回線により接続し、前記ＭＤＦ端子盤とサービス速度対応の複数のラインカードを含む構成の端局装置との間にクロスコネクト装置を接続し、前記端局装置と前記クロスコネクト装置とを制御する監視制御システムと、前記加入者との間でサービス速度切替えの為の情報の送受信を行って前記監視制御システムに制御指示を送出するサービス速度切替システムとを含むＡＤＬＳサービスシステムに於けるサービス速度切替方法に於いて、
前記加入者から前記サービス速度切替システムにログインし、該サービス速度切替システムからのサービス速度切替案内に従って前記加入者が入力したサービス速度切替要求により、前記サービス速度切替システムは、前記監視制御システムに対して、前記クロスコネクト装置による前記ＭＤＦ端子盤と前記端局装置のラインカードとの間の切替接続を行う指示を送出し、該指示に従って前記クロスコネクト装置により、前記加入者が要求したサービス速度に対応したラインカードと該加入者の電話回線との間の切替接続を行う過程を含む
ことを特徴とするＡＤＳＬサービス速度切替方法。
【請求項６】
前記加入者のログインにより前記サービス速度切替システムは、現在の契約サービス速度と料金との情報を前記加入者に通知し、且つ提供できるサービス速度と料金との情報を通知し、前記加入者が選択したサービス速度を受信して、前記監視制御システムを介して前記クロスコネクト装置による前記ＭＤＦ端子盤と前記端局装置のラインカードとの間の切替接続を指示する過程を含むことを特徴とする請求項５記載のＡＤＳＬサービス速度切替方法。
【発明の詳細な説明】
【技術分野】
【０００１】
本発明は、ＡＤＳＬ（Ａｓｙｍｍｅｔｒｉｃ  Ｄｉｇｉｔａｌ  Ｓｕｂｓｃｒｉｂｅｒ  Ｌｉｎｅ；非対称ディジタル加入者回線）サービスシステム及び加入者対応に伝送サービス速度を切替えるＡＤＳＬサービス速度切替方法に関する。
【背景技術】
【０００２】
ＡＤＳＬサービスシステムは、加入者と交換局との間の電話回線を介して、加入者側のＡＤＳＬモデムと交換局側の端局装置（ＤＳＬＡＭ；Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）との間を接続し、この端局装置にインターネットを接続する構成を有し、加入者側から交換局側への上り伝送速度より、交換局側から加入者側への下り伝送速度を大きくした非対称伝送速度となるように、変調周波数帯域を割付けたものである。この場合の最大伝送速度は、技術革新により、例えば、１．５Ｍｂｐｓ，８Ｍｂｐｓ，１２Ｍｂｐｓ，２６Ｍｂｐｓのように、急速に向上し、更には５０Ｍｂｐｓ或いはこれを超える伝送速度の開発も進められている。
【０００３】
図１３は、従来例のＡＤＳＬサービスシステムの説明図であり、１０１は加入者、１０２は加入者対応のＡＤＳＬモデム、１０３は電話回線、１０４は交換局、１０５はＭＤＦ（Ｍａｉｎ  Ｄｉｓｔｒｉｂｕｔｉｏｎ  Ｆｒａｍｅ）端子盤（主配線盤）、１０６は端局装置（ＤＳＬＡＭ；Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）、１０７はラインカード（ＬＩＦ；Ｌｉｎｅ  Ｉｎｔｅｒｆａｃｅ）、１０８は監視制御システム、１０９はインターネットを示す。監視制御システム１０８は、端局装置１０６のそれぞれのラインカード１０７の設定や制御等を行う機能を有し、交換局１０４内に設けることも可能である。
【０００４】
又ＡＤＳＬモデム１０２は、加入者１の宅内に設置して、電話回線１０３にパソコンを接続するものである。又交換局１０４に設置した端局装置（ＤＳＬＡＭ）１０６は、１Ｍ用ＬＩＦ〜５０Ｍ用ＬＩＦとして示すように、１Ｍｂｐｓ，８Ｍｂｐｓ，１２Ｍｂｐｓ，２６Ｍｂｐｓ、５０Ｍｂｐｓ用のそれぞれ加入者に対して提供するサービス速度に対応したラインカード１０７を実装した場合を示す。これらのラインカード１０７は、変調周波数帯域内の複数キャリアを用いた変調信号と、インターネット１０９を伝送する為のフレームとの間の変換処理等を行う機能を有し、且つ複数加入者対応の処理機能を備えたカード構成とする場合が一般的である。又ＭＤＦ端子盤１０５は、加入者１０１対応の電話回線１０３と、その加入者１０１が要求するサービス速度に従ったラインカード１０７とを接続するものである。又監視制御システム１０８は、端局装置１０６の監視やサービス速度の設定制御等を行うものであり、交換局１０４内に設けることができる。なお、加入者１０１に電話機を設けて、通話とデータ伝送とを行う場合は、ＡＤＳＬモデム１０２内又は外付けとして、音声帯域とデータ伝送帯域との分離、合成を行うスプリッタを設けるものである。
【０００５】
前述のＡＤＳＬサービスシステムに於けるサービス速度と変調周波数帯との関係や、変調方式等については、既に各種の文献に記載されている（例えば、非特許文献１参照）。又ＡＤＳＬサービスシステムに於いては、例えば、バースト的な伝送を行うピンポン伝送方式を適用したＩＳＤＮ回線と、ＡＤＳＬ伝送を行うアナログ電話回線とが同一カッド内に収容されているような場合、ＩＳＤＮ回線からの誘導雑音成分の影響が大きくなって、所望のサービス速度が得られない場合が多くなる。このような点から、ＩＳＤＮ回線からの影響を緩和する為のトレーニング手段が提案されている（例えば、特許文献１参照）。
【非特許文献１】「日経ＮＥＴＷＯＲＫ」  １月号（第３３号）  日経ＢＰ社  ２００２年１２月２２日発行
【特許文献１】特開２００３−１１５８１５号公報
【発明の開示】
【発明が解決しようとする課題】
【０００６】
ＡＤＳＬサービスシステムに於ける加入者に対する料金体系は、契約サービス速度に対応して定める場合が一般的である。従って、高速サービス速度で契約すると、低速サービス速度で契約した場合に比較して契約料金は高くなる。又ＡＤＳＬサービスシステムに於いては、サービス速度に対応して変調周波数帯域が異なるもので、例えば、８Ｍｂｐｓのサービス速度の場合、１．２ＭＨｚまでの周波数帯域を利用する。これに対して、２４Ｍｂｐｓのサービス速度の場合は、サービス速度８Ｍｂｐｓの場合の約２倍の２．２ＭＨｚまでの周波数帯域を利用する。従って、電話回線を利用したＡＤＳＬサービスシステムに於いては、サービス速度を高速化するに伴って変調周波数帯域は高周波数側も利用するものであるから、交換局から加入者までの距離に対応して伝送損失が増大し、特に、高周波数帯域側の信号成分の減衰量が増大するから、契約サービス速度を実現することができなくなる問題がある。又長距離の電話回線を使用する場合、誘導される雑音成分も多くなり、データエラーが増大して、所望のサービス速度が得られなくなる問題もある。
【０００７】
又加入者からのサービス速度の変更要求に対しては、交換局１０４内のＭＤＦ端子盤１０５に於ける接続切替えの作業が必要となり、その為に、サービス速度変更までに、或る程度の日数がかかると共に費用が発生する問題もある。そして、サービス速度を例えば高速側に変更した場合に、その高速サービス速度が得られるか否かは、実際にインターネット１０９に接続して伝送してみなければ判らないのが実情である。又サービス速度が次第に高速化されるに伴って、低速の時に開発、製作された端局装置内のラインカードは、未使用状態となり、資源が無駄となる問題もある。
【０００８】
本発明は、前述の問題を解決するものであり、加入者に対して、実現可能のサービス速度の情報を提供し、高速側のみでなく、低速側へのサービス速度にも切替えを可能とし、且つその切替えを迅速に処理可能とすることを目的とする。
【課題を解決するための手段】
【０００９】
本発明のＡＤＳＬサービスシステムは、加入者側のＡＤＳＬモデムと交換局側のＭＤＦ端子盤との間を電話回線により接続し、前記ＭＤＦ端子盤に、サービス速度対応の複数のラインカードを含む構成の端局装置を接続したＡＤＳＬサービスシステムに於いて、前記ＭＤＦ端子盤と前記端局装置との間に、前記ＭＤＦ端子盤の端子と前記端局装置のラインカードとの間の切替接続を可能とした構成のクロスコネクト装置と、該クロスコネクト装置の切替制御及び前記端局装置のラインカードの設定制御を行う監視制御システムと、前記加入者からのサービス速度切替要求を受付けて、前記監視制御システムに、前記クロスコネクト装置によるサービス速度切替えを指示するサービス速度切替システムと、該サービス速度切替システムからの前記加入者のサービス速度の情報と、前記サービス速度対応の基本料金とを基に加入者対応の料金を管理する課金管理システムとを備えている。
【００１０】
又前記サービス速度切替システムは、前記加入者とインターネットからのログインによりサービス速度切替案内画面を送出する手段と、該サービス速度切替案内画面に従った前記加入者からのサービス速度切替要求により、前記監視制御システムにサービス速度切替えを指示する手段とを含む構成を有するものである。
【００１１】
又前記サービス速度切替システムは、前記加入者からの電話網を介したアクセスに対してサービス速度切替案内を行う自動音声応答手段と、該自動音声応答手段により受付けたサービス速度切替要求に従って、前記監視制御システムにサービス速度切替えを指示する手段とを含む構成を有するものである。
【００１２】
又前記サービス速度切替システムは、前記監視制御システムを介して前記端局装置に於ける加入者対応の実測速度情報を収集し、所定期間の平均速度を含む統計データを求めて統計データベースに格納する手段と、前記加入者からの要求により前記統計データベースから最大速度と最小速度と平均速度とを含むサービス速度情報を送出する手段とを含む構成を有するものである。
【００１３】
又本発明のＡＤＳＬサービス速度切替方法は、加入者側のＡＤＳＬモデムと交換局側のＭＤＦ端子盤との間を電話回線により接続し、前記ＭＤＦ端子盤とサービス速度対応の複数のラインカードを含む構成の端局装置との間にクロスコネクト装置を接続し、前記端局装置と前記クロスコネクト装置とを制御する監視制御システムと、前記加入者との間でサービス速度切替えの為の情報の送受信を行って前記監視制御システムに制御指示を送出するサービス速度切替システムとを含むＡＤＳＬサービスシステムに於けるサービス速度切替方法に於いて、前記加入者から前記サービス速度切替システムにログインし、該サービス速度切替システムからのサービス速度切替案内に従って前記加入者が入力したサービス速度切替要求により、前記サービス速度切替システムは、前記監視制御システムに対して、前記クロスコネクト装置による前記ＭＤＦ端子盤と前記端局装置のラインカードとの間の切替接続を行う指示を送出し、該指示に従って前記クロスコネクト装置により、前記加入者が要求したサービス速度に対応したラインカードと該加入者の電話回線との間の切替接続を行う過程を含むものである。
【００１４】
又前記加入者のログインにより前記サービス速度切替システムは、現在の契約サービス速度と料金との情報を前記加入者に通知し、且つ提供できるサービス速度と料金との情報を通知し、前記加入者が選択したサービス速度を受信して、前記監視制御システムを介して前記クロスコネクト装置による前記ＭＤＦ端子盤と前記端局装置のラインカードとの間の切替接続を指示する過程を含むものである。
【発明の効果】
【００１５】
ＭＤＦ端子盤と複数のラインカードを含む端局装置との間にクロスコネクト装置を設けて、加入者のサービス速度切替要求に従って、サービス速度切替システムにより監視制御システムに指示して、ＭＤＦ端子盤と所望のサービス速度対応のラインカードとの間を、クロスコネクト装置により切替接続することができるので、ＭＤＦ端子盤の切替接続作業が不要となり、従って、短時間で所望のサービス速度に切替えることが可能となる。又実測速度についての情報も提供可能となり、加入者により、サービス速度の選択の目安とすることができる。
【発明を実施するための最良の形態】
【００１６】
本発明のＡＤＳＬサービスシステムは、図１を参照すると、加入者１側のＡＤＳＬモデム２と交換局４側のＭＤＦ端子盤５との間を電話回線３により接続し、ＭＤＦ端子盤５に、サービス速度対応の複数のラインカード７を含む構成の端局装置６を接続したＡＤＳＬサービスシステムに於いて、ＭＤＦ端子盤５と端局装置６との間に、ＭＤＦ端子盤５の端子と端局装置６のラインカード７との間の切替接続を可能とした構成のクロスコネクト装置８と、このクロスコネクト装置８の切替制御及び端局装置６のラインカード７の設定制御を行う監視制御システム１０と、加入者１からのサービス速度切替要求を受付けて、監視制御システム１０に、クロスコネクト装置８によるサービス速度切替えを指示するサービス速度切替システム１１と、このサービス速度切替システム１１からの加入者のサービス速度の情報と、サービス速度対応の基本料金とを基に加入者対応の料金を管理する課金管理システム１２とを備えている。
【００１７】
本発明のＡＤＳＬサービス速度切替方法は、加入者１側のＡＤＳＬモデム２と交換局４側のＭＤＦ端子盤５との間を電話回線３により接続し、ＭＤＦ端子盤５とサービス速度対応の複数のラインカード７を含む構成の端局装置６との間にクロスコネクト装置８を接続し、端局装置６とクロスコネクト装置８とを制御する監視制御システム１０と、加入者との間でサービス速度切替えの為の情報の送受信を行って、監視制御システム１０に制御指示を送出するサービス速度切替システム１１とを含み、加入者１からサービス速度切替システム１１にログインし、このサービス速度切替システム１１からのサービス速度切替案内に従って加入者１が入力したサービス速度切替要求により、サービス速度切替システム１１は、監視制御システム１０に対して、クロスコネクト装置８によるＭＤＦ端子盤５と端局装置６のラインカード７との間の切替接続を行う指示を送出し、この指示に従ってクロスコネクト装置８により、加入者１が要求したサービス速度に対応したラインカード７と加入者１の電話回線３との間の切替接続を行う過程を含むものである。
【実施例１】
【００１８】
図１は、本発明の実施例１の説明図であり、１は加入者、２はＡＤＳＬモデム、３は電話回線、４は交換局、５はＭＤＦ（Ｍａｉｎ  Ｄｉｓｔｒｉｂｕｔｉｏｎ  Ｆｒａｍｅ）端子盤（主配線盤）、６は端局装置（ＤＳＬＡＭ；Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）、７はラインカード（ＬＩＦ；Ｌｉｎｅ  Ｉｎｔｅｒｆａｃｅ）、８はクロスコネクト装置（ＸＣ（Ｃｒｏｓｓ  Ｃｏｎｅｃｔ）装置）、９はインターネット、１０は監視制御システム、１１はサービス速度切替システム、１２は課金管理システムを示す。
【００１９】
加入者１は、電話機とパソコン（ＰＣ）とを有し、パソコンとＡＤＳＬモデム２との間をＬＡＮ（ローカルエリアネットワーク）を介して接続し、且つ電話機とＡＤＳＬモデム２との間を電話回線により接続した構成の場合を示す。この場合、ＡＤＳＬモデム２は、音声帯域とデータ伝送帯域とを分離及び合成するスプリッタの機能を含み、同様に、交換局４内に於いてもスプリッタを少なくとも端局装置６の前段に設けるものである。又監視制御システム１０とサービス速度切替システム１１と課金管理システム１２とは、サービスプロバイダ側或いは交換局４内に設けるか、又は分散配置して、ＬＡＮ（ローカルエリアネットワーク）等により接続することができる。
【００２０】
又クロスコネクト装置８は、ＭＤＦ端子盤５とラインカード７との間を、監視制御システム１０からの制御によって切替接続するものである。又サービス速度切替システム１１は、インターネット９や図示を省略した電話回線を介した加入者からのサービス速度切替要求を受付けると、監視制御システム１０にサービス速度の切替えを指示する。それにより、監視制御システム１０からクロスコネクト装置８を制御して、ＭＤＦ端子盤５を介した加入者の電話回線３と、指示されたサービス速度のラインカード７との間を切替接続する。このサービス速度の切替接続後は、課金管理システム１２に於ける加入者対応の契約サービス速度に従った基本料金の変更登録を行う。
【００２１】
又加入者からのサービス速度切替要求時に、サービス速度と契約基本料金との関係の情報及び実際に実現しているサービス速度の統計情報を、サービス速度切替システム１１の制御により送出することができる。この場合に、加入者の電話機を利用して、自動音声ガイダンス等により通知し、押しボタン操作により入力するか、或いは、加入者のパソコン画面上に表示させて、その画面上で入力操作を行うことができる。従って、加入者は、統計上のサービス速度と、契約料金とを考慮して、リアルタイム的にサービス速度の変更要求を行い、交換局４側では、その変更要求に従ってクロスコネクト装置８を制御し、即座にサービス速度の切替えを実行することができる。
【００２２】
図２は、加入者１とサービス速度切替システム１１との間を、電話網２０を介して、又はインターネット９を介して接続して、サービス速度の切替要求を行う場合の本発明の実施例１のシステム構成を示すもので、図１と同一符号は同一部分を示し、２０は電話網、２１は回線情報ＤＢ（統計データベース；以下「データベース」を「ＤＢ」と略称する）、２２は統計ＤＢ、２３は管理ＤＢ、２４はサービス金額ＤＢを示す。なお、電話網２０は、加入者１の電話機とサービス速度切替システム１１との間を接続する為のものであり、この場合、加入者１と交換局４とにそれぞれスプリッタを設けて、電話回線３を通話用とデータ伝送用とに兼用することができる。
【００２３】
前述の図１及び図２に示す各部の機能について、ＡＤＳＬモデム２は、サービス速度対応の変復調機能を有し、又端局装置（ＤＳＬＡＭ）６は、監視制御システム１０からの指示により、サービス速度対応のラインカード（ＬＩＦ）７の使用中か空きかの情報を監視制御システム１０に通知し、又指定された回線対応のラインカード７の状態を通知する機能、及び監視制御システム１０からの指示により、指定された回線の上り実測速度、下り実測速度等を収集して、その収集時刻と共に監視制御システム１０に通知する機能を有する。
【００２４】
又監視制御システム１０は、端局装置６とクロスコネクト装置８との間で制御情報等の送受信を行って設定変更を行い、又サービス速度切替システム１１との間で、加入者対応のサービス速度の情報等の送受信を行う機能を有すると共に、クロスコネクト装置８による接続状態を記憶する機能を有する。又加入者回線（電話回線３）が、クロスコネクト装置８により、端局装置６の何れのラインカード７に接続されているかを、回線情報ＤＢ２１に格納する機能を有し、又サービス速度切替システム１１からの指示により、クロスコネクト装置６に於いて収集した上り実測速度、下り実測速度、収集時刻を通知する機能等を有する。
【００２５】
又サービス速度切替システム１１は、加入者に対して自動音声案内機能により、又はｗｅｂ画面による案内画面についての送受信機能により、現在の契約サービス速度と基本料金との関係情報や、他のサービス速度と基本料金との関係情報を課金管理システム１２に要求し、その応答情報を加入者に通知し、又は実測速度に基づいた最大速度、最小速度、平均速度等の情報を加入者に通知する機能、加入者からのサービス速度切替要求に従って、監視制御システム１０に対してサービス速度切替えを指示する機能等を有する。
【００２６】
又課金管理システム１２は、サービス速度切替システム１０からの指示により、指定された加入者に対する基本料金等の料金情報を、サービス金額ＤＢ２４から読出して、サービス速度切替システム１０に応答し、又サービス速度切替システム１０からの指示により、サービス速度に対応した料金を、サービス金額ＤＢ２４より読出して、サービス速度切替システム１０に応答する機能を有する。
【００２７】
又回線情報ＤＢ２１は、監視制御システム１０により制御されて、前述のように、加入者対応の電話回線３と端局装置８のラインカード７との接続関係やサービス速度等の情報を格納するもので、監視制御システム１０内に設けた構成とすることも可能である。又統計ＤＢ２２は、サービス速度切替システム１１により各回線の統計データを記憶するもので、情報収集時刻、上り実測速度、下り実測速度と、それらを基に、所定期間内の最大速度、最小速度、平均速度等の情報を記憶する構成を有し、この統計ＤＢ２２は、監視制御システム１０又はサービス速度切替システム１１内に含めた構成とすることもできる。
【００２８】
又管理ＤＢ２３は、加入者の契約サービス速度の情報、ログイン情報、課金額等のデータを記憶するもので、課金管理システム１２内に含まれる構成とすることも可能である。又サービス金額ＤＢ２４は、サービス速度対応の基本料金等を格納した構成を有し、課金管理システム１２内に含まれる構成とすることも可能である。又各システムが近接配置されている場合は、回線情報ＤＢ２１と、統計ＤＢ２２と、管理ＤＢ２３と、サービス金額ＤＢ２４とは、共通の記憶装置の内部領域によって構成することも可能である。
【００２９】
図３は、図２に於ける加入者１と、サービス速度切替システム１１と、監視制御システム１０と、ＸＣ装置（クロスコネクト装置）８と、ＤＳＬＡＭ（端局装置）６と、課金管理システム１２とについてのシーケンスチャートを示し、監視制御システム１０に接続した回線情報ＤＢ２１と、課金管理システム１２に接続した管理ＤＢ２３とサービス金額ＤＢ２４とを示している。
【００３０】
以下図３に示す処理内容について、図２を参照して説明する。
１．加入者１は、サービス速度切替システム１１にログインする。
２．このログインにより、加入者１は、サービス速度切替システム１１対して、契約サービス回線速度の確認要求を行う。
３．サービス速度切替システム１１は、監視制御システム１０に加入者の契約サービス回線速度を問い合わせる。
４．監視制御システム１０は、回線情報ＤＢ２１より加入者の契約サービス速度を読出し、サービス速度切替システム１１に通知する。
５．この通知を受けたサービス速度切替システム１１は、加入者１に契約サービス速度を通知して表示させる。
【００３１】
６．加入者１がサービス速度切替システム１１からの通知内容を表示して、契約サービス速度を確認し、その契約サービス速度の基本料金等の確認要求を行う。
７．サービス速度切替システム１１は、課金管理システム１２に加入者の契約サービス速度に対応した料金を問い合わせる。
８．課金管理システム１２は、管理ＤＢ２３より加入者の契約サービス速度の料金を読出して、サービス速度切替システム１１に通知する。
９．サービス速度切替システム１１は、加入者１に契約サービス速度に対応した料金を通知して表示させる。
１０．加入者１は、サービス速度切替システム１１に対して、サービス速度による金額の情報の読出しを要求する。
【００３２】
１１．サービス速度切替システム１１は、課金管理システム１２にサービス速度による金額を問い合わせる。
１２．課金管理システム１２は、サービス金額ＤＢ２４よりサービス速度による金額を読出し、サービス速度切替システム１１に通知する。
１３．サービス速度切替システム１１は、加入者１に対してサービス速度による金額の情報を通知して表示させる。
１４．加入者１は、サービス速度切替システム１１に対して、サービス速度切替の実行要求を行う。
１５．サービス速度切替システム１１は、監視制御システム１０に対してサービス速度の切替を指示する。
【００３３】
１６．監視制御システム１０は、クロスコネクト（ＸＣ)装置８に対して、加入者１の電話回線３対応のＭＤＦ端子盤５の端子と、端局装置６のラインカード７との間の切替えを行うように指示する。又端局装置（ＤＳＬＡＭ）６に対して、ラインカード（ＬＩＦ）７のポートに対する伝送方式及び上り下りの速度設定を指示する。
１７．ＸＣ装置８は、加入者回線（電話回線３）とラインカード（ＬＩＦ）７との接続切替を実行し、その実行結果（成功/失敗）を監視制御システム１０に通知する。又ＤＳＬＡＭ６は、変更前と変更後のＬＩＦ７のポート（Ｐｏｒｔ）に対して、伝送方式及び実行速度（上り/下り）の設定を実行し、その実行結果（成功/失敗）を監視制御システム１０に通知する。
１８．監視制御システム１０は、成功した場合、回線情報ＤＢ２１の内容を更新する。又サービス速度切替システム１１に実行結果(成功/失敗)を通知する。
１９．サービス速度切替システム１１は、実行結果（成功／失敗）及び現在の実測速度を通知し、加入者画面に表示させる。
２０．切替成功の場合、サービス速度切替システム１１は、課金管理システム１２に対して、サービス速度変更を通知する。
２１．課金管理システム１２は、管理ＤＢ２３を更新する。
【００３４】
図４は、加入者からサービス速度切替システムに対するアクセスについて、（Ａ）は、インターネット経由の場合、（Ｂ）は電話網経由の場合のシーケンスの概要をそれぞれ示す。図４の（Ａ）に示すインターネット経由の場合については、
１．加入者１は、サービス速度切替システム１１のＵＲＬ（Ｕｎｉｆｏｒｍ  Ｒｅｓｏｕｒｃｅ  Ｌｏｃａｔｏｒ）にインターネットを介してアクセスする。サービス速度切替システム１１は、ログイン画面を送信し、加入者１の画面に表示させる。
２．加入者１は、ログイン画面に従って、ログイン名、パスワードを入力し、サービス速度切替システム１１に送信する。
３．サービス速度切替システム１１は、ログイン名とパスワードとにより、ユーザ（加入者）を特定して、ログインを許可する。
４．加入者１は、ログイン成功により、表示画面に従ってサービス速度の変更要求を行う。そして、前述のように、加入者１からのサービス速度の切替要求に従ったサービス速度のラインカードに切替接続するように、クロスコネクト装置８を制御する。
【００３５】
又図４の（Ｂ）は電話網経由の場合を示し、
１．加入者１は、サービス速度切替システム１１の電話番号をダイヤルして、電話網経由で接続する。
２．サービス速度切替システム１１は、自動音声案内機能を備え、加入者１に対してサービス速度切替えの音声案内を送出する。
３．加入者１は、その音声案内に従って、ダイヤルキー操作により、ログイン番号を入力する。
４．サービス速度切替システム１１は、ログイン番号により契約ユーザ判定を行い、サービス速度切替えの為の音声案内を送出する。
５．加入者１は、音声案内に従って、サービス速度切替要求をダイヤルキー操作により送出し、前述の制御処理により、サービス速度切替システム１１の制御に従ったサービス速度の切替えを行う。
【００３６】
図５は、加入者にサービス速度の情報を通知する場合のシーケンスを示し、
１．ＤＳＬＡＭ６は、監視制御システム１０からの要求に従って、実測速度を通知し、監視制御システム１０は、加入者対応に、情報収集時刻と、上り実測速度と、下り実測速度との統計情報を、統計ＤＢ２２に格納する。
２、加入者１からのサービス速度情報読出要求により、サービス速度切替システム１１は、監視制御システム１０に加入者の統計情報の問い合わせを行う。
３．監視制御システム１０は、統計ＤＢ２２から加入者対応の所定期間内の統計情報を基に、最大速度、最小速度、平均速度を読出して、サービス速度切替システム１１に応答する。
４．サービス速度切替システム１１は、加入者１に対して、最大速度、最小速度、平均速度を表示できるようにそれらの情報を送出する。
【実施例２】
【００３７】
図６は、本発明の実施例２の説明図であり、ＡＤＳＬサービスプロバイダに於いてサービス速度切替えの制御を行う場合について示し、図１及び図２と同一符号は、同一名称部分を示す。なお、３０はＡＤＳＬサービスプロバイダ、３１はルータ、３２はＬＡＮ、３３はルータ、３４はＬＡＮを示す。ＡＤＳＬサービスプロバイダ３０は、監視制御システム１０とサービス速度切替システム１１と課金管理システム１２とをＬＡＮ３２により接続し、ルータ３１を介してインターネット９に接続し、交換局４は、端局装置（ＤＳＬＡＭ）６とクロスコネクト装置（ＸＣ装置）８とをＬＡＮ３４により接続し、ルータ３３を介してインターネット９に接続したシステム構成を示す。
【００３８】
この場合、前提条件として、次のような動作が可能の状態とする。
（１）加入者１は、電話加入権（電話回線）を所有し、且つＡＤＳＬサービスプロバイダ３０が提供している例えば８ＭタイプのＡＤＳＬサービスを契約（加入）済みであり、電話回線３を使用したインターネット９及び電話（一般の電話やＩＰ電話を示す）等を既に利用している。
（２）加入者１からＡＤＳＬサービスプロバイダ３０が提供するサービス速度切替システム１１を利用する為には、ＡＤＳＬサービスプロバイダ３０と事前に契約（加入）しているものとし、サービスを利用する為のユーザＩＤとパスワードとは、ＡＤＳＬサービスプロバイダ３０から加入者１に与えられているものとする。又この時のユーザＩＤは、加入者１の電話番号とし、パスワードは数字で８桁とする。
（３）加入者１とサービス速度切替システム１１とのやり取りは、ＡＤＳＬサービスプロバイダ３０が提供するインターネットを介してサービス速度切替システム１１を利用可能とさせる情報（パケット）で行われる。又は電話回線（一般電話網かＩＰ電話網を示す）を介してサービス速度切替システム１１を利用可能とさせる音声信号又は情報（パケット）で行われる。
【００３９】
（４）課金管理システム１２と、サービス速度切替システム１１と、監視制御システム１０とを含むＡＤＳＬサービスプロバイダ３０と、クロスコネクト装置（ＸＣ装置）８と、端局装置（ＤＳＬＭ）６とは、インターネット９を介して監視制御の情報（パケット）の送受信が行われる。
（５）加入者１は、サービス速度切替サービスシステム１１を利用して、現在契約している８Ｍタイプのサービス速度から５０Ｍタイプのサービス速度に切替える。
【００４０】
このような前提条件に於いて、
１．加入者１は、インターネット９又は電話回線を利用して、ＡＤＳＬサービスプロバイダ３０が提供するサービス速度切替システム１１にログインする。このログインの手段については前述の手段により行う。
２．サービス速度切替システム１１は、加入者１からのログイン要求の処理を行い、サービス利用可能か否かを判断し、利用可能な場合は、ログイン成功の通知をｗｅｂ画面上若しくは音声ガイダンスで加入者１に伝える。又利用不可能な場合は、ログイン失敗の通知をｗｅｂ画面で若しくは音声ガイダンスで加入者に伝える。
３．サービス速度切替システム１１は、加入者１に対して現在契約しているサービス速度とその基本料金とを確認させる為のｗｅｂ画面、若しくは音声ガイダンスで加入者に知らせる。
【００４１】
４．サービス速度切替システム１１は、加入者１からの現在契約しているサービス速度とその課金額の確認要求を受付けると、サービス速度の場合は、監視制御システム１０に問合せを行い、監視制御システム１０は、回線情報ＤＢ２１から加入者１のサービス速度を読出して、サービス速度切替システム１１に通知する。この時の回線情報ＤＢ２１に記録されているデータは、例えば、図７に示すように、使用／未使用と、ＤＳＬＡＭ内収容情報としてのＬＩＦ番号（ラインカード番号）とＣＨ番号（チャネル番号）と、加入者電話番号（なお、図示の加入者番号は、単なる一例であって、実際の電話番号とは相違する)と、サービス速度とを対応付けて構成されている。
５、サービス速度と基本料金とに関して、課金管理システム１２に問い合わせを行うことにより、課金管理システム１２は、管理ＤＢ２４より加入者の契約サービス速度に従った基本料金を読出して、サービス速度切替システム１１に通知する。サービス速度とその基本料金との情報を受取ったサービス速度切替システム１１は、この情報を編集してｗｅｂ画面若しくは音声ガイダンスで加入者１に伝える。この時の管理ＤＢ２３は、例えば、図８に示すように、加入者電話番号対応に、契約サービス速度に従った基本料金が格納されており、課金管理システム１２は、問い合わせを行った加入者の電話番号を基に、基本料金を読出して通知することができる。サービス速度切替システム１１は、サービス速度切替えが行える情報と実行要求とをｗｅｂ画面により、若しくは音声ガイダンスにより加入者１に通知する。
【００４２】
６．加入者１がサービス回線速度切替要求移行画面により、若しくは、音声ガイダンスに従ってサービス速度切替を選択、実行した場合、加入者１からのその要求をサービス速度切替システム１１が受付けて、サービス速度による金額の問合わせを課金管理システム１２に対して行う。課金管理システム１２は、サービス速度切替システム１１からの問合わせを受けると、サービス金額ＤＢ２４よりサービス速度対応の基本料金を読出して、サービス速度切替システム１１に通知する。サービス速度切替システム１１は、課金管理システム１２からの通知を受けて、受取った情報を編集してサービス速度対応の基本料金を加入者に通知し、加入者のｗｅｂ画面に表示させる。
７．若し、加入者がＡＤＳＬサービス回線速度切替メニュー画面から、或いは、音声ガイダンスに従ってサービス回線速度切替を実行した場合、加入者からのその要求をサービス速度切替システム１１が受付けて、サービス速度切替えの指示を監視制御システム１０に対して行う。監視制御システム１０は、サービス速度切替システム１１からのその指示を受けると、例えば、図７に示す内容の回線情報ＤＢ２１を参照して、サービス速度に対応した空きラインカード番号（ＬＩＦ番号）とチャネル番号（ＣＨ番号）とを決定する。
【００４３】
８．決定されたラインカード番号とチャネル番号とサービス速度との情報を基に、監視制御システム１０から端局装置６に指示する。端局装置６は、その指示によりラインカード７のポートに対する伝送方式及び速度（上り／下り）の設定を行い、又現在の実測速度（上り／下り）を測定し、その実行結果を監視制御システム１０に通知する。もう一方では、前述の処理により得られた切替先の端局装置６のラインカード番号とチャネル番号との情報を基に、監視制御システム１０からクロスコネクト装置８に切替えの指示を行う。クロスコネクト装置８は、その指示に従った切替処理を行い、その結果を監視制御システム１０に通知する。
９．監視制御システム１０は、端局装置６とクロスコネクト装置８とからの実行結果通知により、新たなサービス速度を回線情報ＤＢ２１に登録し、又実測速度（上り／下りの速度）値をサービス速度切替システム１１に実行結果として通知する。
【００４４】
１０．サービス速度切替システム１１は、監視制御システム１０からの実行結果の通知を受け、その実行結果と現在の実測速度とをｗｅｂ画面、若しくは音声ガイダンスで加入者に通知する。サービス速度切替システム１１が切替完了と判断すると、サービス速度切替完了の通知を課金管理システム１２に対して行う。サービス速度切替完了の通知を受けた課金管理システム１２は、管理ＤＢ２４の更新（加入者の基本料金変更）を行う。
【００４５】
図８は、管理ＤＢ２３の一例を示し、加入者電話番号対応の契約したサービス速度に従った基本料金を格納している。又図９は、統計ＤＢ２２の一例を示し、加入者電話番号対応に、ラインカード番号（ＬＩＦ番号）、チャネル番号（ＣＨ番号）、上り／下りの複数の実測速度と、最小速度と、平均速度との測定結果を格納している。
【００４６】
図１０の（Ａ），（Ｂ）は、加入者がインターネットを介してサービス速度切替システム１１にアクセスして、サービス速度の切替要求を行う場合を含むｗｅｂ画面の一例の説明図であり、サービス速度切替システム１１にアクセスすることにより、図１０の（Ａ）に示すｗｅｂ画面が表示されて、加入者の例えば電話番号をユーザＩＤ(ログイン名)として入力し、且つパスワードを入力し、「ＬＯＧＩＮ」をクリックすると、サービス速度切替システム１１は、回線情報ＤＢ２１に登録されている電話番号等を基に、アクセス可能の加入者であるか否かを判定して、アクセス可能の加入者に対しては、図１０の（Ｂ）に示す画面を表示させる。又アクセス可能ではない加入者に対しては、ログイン失敗の画面を表示させる。
【００４７】
そして、「１．ＡＤＳＬサービス速度切替サービス」を選択すると、図１１の（Ｃ）に示すように、加入者電話番号についての現在契約しているサービス速度と料金とを要求する画面となり、「確認」ボタンをクリックすると、サービス速度切替システム１１は、回線情報ＤＢ２１と管理ＤＢ２３とを参照して、図１１の（Ｄ）に示すように、現在契約しているサービス速度と料金との情報を加入者に通知することにより、例えば、８Ｍタイプ、３，２００円が表示されると共に、サービス速度切替えを行うか否かの画面の表示内容となる。
【００４８】
サービス速度切替えの「実行」ボタンをクリックすると、サービス速度切替システム１１は、サービス金額ＤＢ２４から読出した料金表の情報を加入者に送出し、図１１の（Ｅ）に示すようなサービスタイプと料金との対応表を表示させる。加入者は、サービスタイプと料金とを参考に、希望するサービスタイプに対応した欄にマークして、実行ボタンをクリックする。この場合、８Ｍタイプから５０Ｍタイプに切替えることを要求した場合を示している。
【００４９】
この切替要求によって、サービス速度切替システム１１は、前述のように、監視制御システム１０にサービス速度の切替えを指示し、監視制御システム１０は、クロスコネクト装置８による接続切替え及び端局装置６のラインカード７の動作設定等を行い、その実行結果を加入者に通知する。
【００５０】
図１２の（Ａ）は、図１０の（Ｂ）に示す表示画面に於いて、「ＡＤＳＬサービス速度統計情報サービス」を指定することにより、サービス速度切替システム１１は、統計ＤＢ２２から加入者電話番号対応の統計情報を読出して、最大速度と最小速度と平均速度との情報を加入者に送出して、表示させた場合を示す。又図１２の（Ｂ）は、加入者からの前述のサービス速度切替要求に対して、正常に切替処理が終了した場合の実測速度を含む実行結果通知画面の一例を示す。
【００５１】
加入者が電話網を介してサービス速度切替システム１１にアクセスする場合も、前述のｗｅｂ画面によるサービス速度切替案内と同様の音声ガイダンスに従って、加入者が押しボタン操作を行うことにより、サービス速度の切替要求を行うことができる。
【００５２】
又加入者が高速のサービス速度に切替要求を行った後、実測速度が高速とならない場合や、最初の契約サービス速度に於いて、実測速度が低い場合、加入者は、基本料金が低い低速側のサービス速度に切替える要求を行う場合が生じる。即ち、サービス提供過程に於いて実装された低速のラインカードを再使用することになる。即ち、低速サービス速度として開発されたラインカードを有効に利用できることができ、システムコストの低減を図ることが可能となる。
【図面の簡単な説明】
【００５３】
【図１】本発明の実施例１の説明図である。
【図２】本発明の実施例１の説明図である。
【図３】本発明の実施例１のシーケンス説明図である。
【図４】本発明の実施例１のインターネット又は電話網を介してアクセスする場合の説明図である。
【図５】本発明の実施例１のサービス速度統計情報要求時のシーケンス説明図である。
【図６】本発明の実施例２の説明図である。
【図７】回線情報データベースの説明図である。
【図８】管理データベースの説明図である。
【図９】統計データベースの説明図である。
【図１０】ｗｅｂ画面の説明図である。
【図１１】ｗｅｂ画面の説明図である。
【図１２】ｗｅｂ画面の説明図である。
【図１３】従来例のＡＤＳＬサービスシステムの説明図である。
【符号の説明】
【００５４】
１    加入者
２    ＡＤＳＬモデム
３    電話回線
４    交換局
５    ＭＤＦ端子盤
６    端局装置（ＤＳＬＡＭ）
７    ラインカード（ＬＩＦ）
８    クロスコネクト装置（ＸＣ装置）
９    インターネット
１０  監視制御システム
１１  サービス速度切替システム
１２  課金管理システム
【図１】
2006237801.tif 000003
【図２】
2006237801.tif 000004
【図３】
2006237801.tif 000005
【図４】
2006237801.tif 000006
【図５】
2006237801.tif 000007
【図６】
2006237801.tif 000008
【図７】
2006237801.tif 000009
【図８】
2006237801.tif 000010
【図９】
2006237801.tif 000011
【図１０】
2006237801.tif 000012
【図１１】
2006237801.tif 000013
【図１２】
2006237801.tif 000014
【図１３】
2006237801.tif 000015